(57)【要約】【課題】本体の内釜収納部の内周面と内釜の外周面との間の隙間から外部への放熱を抑えることができるようにする。【解決手段】内釜収納部５３を有し、蓋体５２により開閉される本体５１と、内釜収納部５３に着脱自在に収納される内釜１と、高周波磁界を発生し、内釜１を誘導加熱する加熱コイル２とを備え、内釜１には、少なくともその外周面に、断熱性を有する弾性体２０を設け、この弾性体には、本体の内釜収納部の内周面と内釜の外周面との間の隙間を閉塞する環状突起２０ｂを設ける。【選択図】図１
2014036722.tif 000002
【特許請求の範囲】
【請求項１】
内釜収納部を有し、蓋体により開閉される本体と、
前記内釜収納部に着脱自在に収納される内釜と、
高周波磁界を発生し、前記内釜を誘導加熱する加熱コイルとを備え、
前記内釜には、少なくともその外周面に、断熱性を有する弾性体が設けられており、
前記弾性体には、前記本体の前記内釜収納部の内周面と前記内釜の外周面との間の隙間を閉塞する環状突起が備えられていることを特徴とする炊飯器。
【請求項２】
前記弾性体は、前記内釜の下面から側面下方を覆っており、前記環状突起は、前記弾性体の上端部に形成されていることを特徴とする請求項１記載の炊飯器。
【請求項３】
前記弾性体は、シリコンゴムから構成されていることを特徴とする請求項１又は請求項２記載の炊飯器。
【請求項４】
前記内釜の下面には、前記弾性体と一体に突起が設けられていることを特徴とする請求項２又は請求項３記載の炊飯器。
【請求項５】
前記突起は、周方向の少なくとも３箇所に設けられていることを特徴とする請求項４記載の炊飯器。
【請求項６】
前記突起は、円弧状に形成されていることを特徴とする請求項４記載の炊飯器。
【請求項７】
前記突起は、リング状に形成されていることを特徴とする請求項４記載の炊飯器。
【発明の詳細な説明】
【技術分野】
【０００１】
本発明は、炊飯器に関する。
【背景技術】
【０００２】
従来より、炊飯器において、本体の内釜収納部の底部及び底部外周に加熱コイルを配置し、この加熱コイルには、駆動部によって高周波電力を供給して、内釜収納部に収容した内釜を誘導加熱するものがある。そしてこのようなものにおいて、内釜の外周面に放熱抑止層を設け、内釜熱の外部への放出を抑えるようにしたものがある（例えば、特許文献１参照）。
【先行技術文献】
【特許文献】
【０００３】
【特許文献１】特開２００９−２１９７３７号公報（要約、図１）
【発明の概要】
【発明が解決しようとする課題】
【０００４】
ところで、炊飯器は、一般に、本体の内釜収納部の内周面と当該内釜の外周面との間に隙間が存在し、この隙間に熱が籠もる。内釜の外周面に単に放熱抑止層を設けたものにあっても、完全に熱を遮断できるものではないので、前記隙間に熱が籠もる。
しかしながら、従来は前記隙間が外部に開放されており、前記隙間に籠もった熱が外部へ放出されるのを抑えることができなかった。
【０００５】
本発明は、前記のような課題を解決するためになされたもので、本体の内釜収納部の内周面と内釜の外周面との間の隙間から外部への放熱を抑えることができるようにすることを目的としている。
【課題を解決するための手段】
【０００６】
本発明に係る炊飯器は、内釜収納部を有し、蓋体により開閉される本体と、内釜収納部に着脱自在に収納される内釜と、高周波磁界を発生し、内釜を誘導加熱する加熱コイルとを備え、内釜には、少なくともその外周面に、断熱性を有する弾性体が設けられており、この弾性体には、本体の内釜収納部の内周面と内釜の外周面との間の隙間を閉塞する環状突起が備えられているものである。
【発明の効果】
【０００７】
本発明によれば、内釜には、少なくともその外周面に、断熱性を有する弾性体が設けられており、この弾性体には、本体の内釜収納部の内周面と内釜の外周面との間の隙間を閉塞する環状突起が備えられているので、前記隙間を閉塞することができ、前記隙間から外部への放熱を抑えることができる。また、前記隙間における弾性体によりシールされた空隙部は蓄熱空間となり、加熱・保温性能が向上する。
【図面の簡単な説明】
【０００８】
【図１】実施形態１に係る炊飯器の全体構成を示す縦断面図である。
【図２】実施形態１に係る炊飯器の内釜と弾性体との関係を示す縦断面図である。
【図３】実施形態１に係る炊飯器の内釜の正面図である。
【図４】実施形態１に係る炊飯器の内釜を斜め下方より見た斜視図である。
【図５】実施形態２に係る炊飯器の内釜の正面図である。
【図６】実施形態２に係る炊飯器の内釜を斜め下方より見た斜視図である。
【図７】実施形態３に係る炊飯器の内釜の正面図である。
【図８】実施形態３に係る炊飯器の内釜を斜め下方より見た斜視図である。
【図９】実施形態４に係る炊飯器の内釜を斜め下方より見た斜視図である。
【発明を実施するための形態】
【０００９】
以下、本発明に係る炊飯器を説明する。なお、以下に示す図面の形態によって本発明が限定されるものではない。
なお、以下の説明において、理解を容易にするために位置を表す用語（例えば「上」、「下」、「前」、「後」など）を適宜用いるが、これは説明のためのものであって、これらの用語は本願発明を限定するものではない。
【００１０】
実施形態１．
図１は実施形態１に係る炊飯器の全体構成を示す縦断面図である。図２は実施形態１に係る炊飯器の内釜と弾性体との関係を示す縦断面図である。図３は実施形態１に係る炊飯器の内釜の正面図である。図４は実施形態１に係る炊飯器の内釜を斜め下方よりみた斜視図である。
実施形態１に係る炊飯器１００は、図１のように本体５１と、本体５１にヒンジ１２により結合された蓋体５２とを備えている。この蓋体５２は、本体５１との間にねじりバネ１２ａを介在させることで、常に本体上面を開放方向に力が働いており、ラッチ１６に係合することにより、本体５１の上面を閉鎖するように閉じる構成となっている。そして、解除ボタン１７を押圧することにより蓋体５２とラッチ１６の係合を解除され、ねじりバネ１２ａの弾性力により蓋体５２が開放し、後述する内釜収納部５３に内釜１が着脱自在となる。また、炊飯器１００は、本体５１内にコイル台となる内釜収納部５３を備えており、内釜収納部５３には、内釜１が着脱自在に収容される。内釜収納部５３の底部外周には、内釜１を誘導加熱するための加熱コイル２が配置されている。また、内釜収納部５３には、その底部中央に、貫通穴が形成され、この貫通穴に、内釜１の下面に接触して内釜１の温度を検出する温度センサー５４が出没自在に設置されている。加熱コイル２は、電源基板９に実装された駆動部によって高周波電力が供給され内釜１を誘導加熱する。すなわち、駆動部は、商用交流電源からの交流電圧を、図示しない整流部により一旦直流に変換し、その後、スイッチング素子のスイッチングにより高周波に変換し、この高周波電流を加熱コイル２に供給する。
【００１１】
内釜１は、その上端にフランジ１ａが形成され、このフランジ１ａが内釜収納部５３への収納時に、後述する隙間ｇを形成した状態で、内釜収納部５３の上端に載置されて支持されるようになっている。なお、内釜１が内釜収納部５３に直接支持される構造でも良い。また、内釜１は、蓋体５２の閉時に、蓋体５２側に設けたパッキン５５がフランジ１ａの上面に押圧されることによって密閉されるようになっている。また、内釜１には、その外周面に、断熱性を有する例えばシリコンゴムから構成される弾性体２０が設けられている。
【００１２】
弾性体２０は、図１乃至図４に示すように、内釜１の周側面の高さ方向の中間部から下面にかけて覆うように設けられているが、内釜１の下面の中央部は温度センサー５４のセンサー当接部１ｂとなるため、対応する部位に孔２０ａが形成されている。また、弾性体２０には、その上端部に、本体５１の内釜収納部５３の内周面と内釜１の外周面との間の隙間ｇを閉塞する外向きの環状突起２０ｂが設けられており、環状突起２０ｂより下方の隙間ｇである内釜収納部５３の内周面と内釜１の外周面と環状突起２０ｂに囲まれた空間が蓄熱空間となるように構成されている。
【００１３】
次に、実施形態１に係る炊飯器の動作を図１乃至図４に基づき説明する。
【００１４】
使用者により操作部からの設定に基づく炊飯指示等の加熱開始の指示がなされると、制御部は、駆動部の制御を開始する。駆動部は、商用交流電源からの交流電圧を、整流部により一旦直流に変換し、その後、スイッチング素子のスイッチングにより高周波に変換し、この高周波電流が加熱コイル２に供給される。加熱コイル２に高周波電流が流れると、加熱コイル２からは交番磁界が発生し、これにより内釜１に磁束が与えられる。これにより内釜１には渦電流が発生し、この渦電流と内釜１の電気抵抗によりジュール熱が発生し、内釜１が加熱され、炊飯が行われる。
【００１５】
炊飯動作中は、弾性体２０で覆われている内釜１の内側だけでなく、弾性体２０で覆われている内釜１の外側も相当の高温となる。従来は、本体５１の内釜収納部５３の内周面と内釜１の外周面との間の隙間ｇの全体が外部に連通していたため、内釜１の外側の熱を有効利用することができず、外部に放散されていた。このため、炊飯効率やその後の保温性能があまり高くはなかった。
【００１６】
実施形態１に係る炊飯器は、内釜１の下面から側面下方を覆うシリコンゴムから構成される弾性体２０の上端部に、本体５１の内釜収納部５３の内周面と内釜１の外周面との間の隙間ｇを閉塞する外向きの環状突起２０ｂを設けている。そのため、実施形態１に係る炊飯器は、環状突起２０ｂより下方の隙間ｇ、つまり内釜１の周側面の高さ方向の中間部から下面に至る隙間ｇが、環状突起２０ｂと内釜１の外周面と内釜収納部５３の内周面により閉鎖された空間となり、蓄熱空間として構成される。そして、この蓄熱空間の部分によって、釜肌の熱を逃げにくくすることができる。また、この蓄熱空間の部分は、内釜１内の調理物に対応している部分である。このため、沸騰時（炊飯時）には、内釜１の対流を促進することができ、加熱時間や加熱温度がより少なくても従来同等の炊き上がりが確保できて、加熱効率が向上する。また、調理後は、冷めにくいので、より少ない電力で保温を維持することができ、保温性能を高めることができ、省エネ化が図れる。
なお、隙間ｇから外部への放熱を抑える目的のためだけなら、環状突起２０ｂの設置により所期の目的を達成できる。内釜１の下面から側面下方を覆うシリコンゴムから構成される弾性体２０の上端部に、環状突起２０ｂを設けることで、それより下部に形成される蓄熱空間を含む保温部の厚みを厚くすることができ、加熱効率や、調理後の保温性能を一層高めることができる。
【００１７】
また、弾性体２０としてシリコンゴムを用いることで、耐熱性の確保が容易となり、長寿命化が図れる。
【００１８】
実施形態２．
図５は実施形態２に係る炊飯器の内釜の正面図である。図６は実施形態２に係る炊飯器の内釜を斜め下方より見た斜視図である。各図中、前述の実施形態１と同一機能部分には同一符号を付してある。
この実施形態２に係る炊飯器は、図５及び図６に示すように、内釜１の下面の周方向の複数箇所（８箇所）に、弾性体２０と一体に突起２０ｃを設けた点が前述の実施形態１のものと異なっており、それ以外の構成は実施形態１のものと同様である。
【００１９】
この実施形態２の炊飯器においては、内釜１を誤って落下させた場合、内釜１の下面に設けた弾性体２０と一体の突起２０ｃがクッションとなり、床面又は内釜１の損傷を防ぐことができ、使い勝手が向上する。
【００２０】
また、突起２０ｃは、周方向の複数箇所（８箇所）に設けてあるため、内釜１を卓上などへ置いた時の安定性が向上する。
さらに、内釜１を卓上などへ置いた時、複数の突起２０ｃによって内釜１の下面を卓上から浮かすことができ、これによって内釜１の下方に断熱空間を形成することができる。つまり、置いた位置に直接内釜１が接することを防ぎ、内釜１の熱を置いた位置に伝導しにくくすることができる。このため、内釜１から卓上への放熱が抑制され、冷めにくくすることができる。
【００２１】
なお、ここでは突起２０ｃを周方向の８箇所に設けて、内釜１を卓上などへ置けるようにしたものを例に挙げて説明したが、突起２０ｃは周方向の少なくとも３箇所（好ましくは等間隔に）以上あればよいことは言うまでもない。
【００２２】
実施形態３．
図７は実施形態３に係る炊飯器の内釜の正面図である。図８は実施形態３に係る炊飯器の内釜を斜め下方より見た斜視図である。各図中、前述の実施形態１と同一機能部分には同一符号を付してある。
この実施形態３に係る炊飯器は、図７及び図８に示すように、内釜１の下面の周方向の複数箇所（４箇所）に、弾性体２０と一体に円弧状突起２０ｄを設けた点が前述の実施形態１のものと異なっており、それ以外の構成は実施形態１のものと同様である。
【００２３】
この実施形態２の炊飯器においては、内釜１の脚部となる円弧状突起２０ｄと卓上との接触面積が増えるため、内釜１を卓上などへ置いた時の弾性体２０の持つ滑り止めの機能が向上し、安定性がさらに向上する。
また、複数（４つ）の円弧状突起２０ｄによって内釜１の下方に形成される断熱空間から外部へ通ずる通路を前述の実施形態２のものより狭くすることができ、保温性能が向上する。なお、円弧状突起２０ｄは、円弧の長さの調整により、設置数を減らすことができ、円弧の長さを長くすることで、設置数を例えば１個とすることも可能である。
【００２４】
実施形態４．
図９は実施形態４に係る炊飯器の内釜を斜め下方より見た斜視図である。図中、前述の実施形態１と同一機能部分には同一符号を付してある。
この実施形態４に係る炊飯器は、図９に示すように、内釜１の下面に、弾性体２０と一体にリング状突起２０ｅを設けた点が前述の実施形態１のものと異なっており、それ以外の構成は実施形態１のものと同様である。
【００２５】
この実施形態２の炊飯器においては、内釜１の脚部となるリング状突起２０ｅと卓上との接触面積がさらに増えるため、内釜１を卓上などへ置いた時の弾性体２０の持つ滑り止めの機能が一層向上し、安定性がさらに向上する。
また、内釜１を卓上などへ置いた時にリング状突起２０ｅによって内釜１の下方に形成される断熱空間が密閉されるので、保温性能が一層向上する。
特に、リング状突起２０ｅは、センサー当接部１ｂが露出している孔２０ａを囲んでいるので、センサー当接部１ｂからの放熱を低減することができる。
【００２６】
なお、本体５１の内釜収納部５３より内釜１を取り出して使用する際に使用される蓋体を設けることは好ましい。
【符号の説明】
【００２７】
１  内釜、１ａ  フランジ、１ｂ  センサー当接部、２  加熱コイル、９  電源基板、１２  ヒンジ、１６  ラッチ、１７  解除ボタン、２０  弾性体、２０ａ  孔、２０ｂ  環状突起、２０ｃ  突起、２０ｄ  円弧状突起、２０ｅ  リング状突起、５１  本体、５２  蓋体、５３  内釜収納部、５４  温度センサー、５５  パッキン、１００  炊飯器、ｇ  隙間。
【図１】
2014036722.tif 000003
【図２】
2014036722.tif 000004
【図３】
2014036722.tif 000005
【図４】
2014036722.tif 000006
【図５】
2014036722.tif 000007
【図６】
2014036722.tif 000008
【図７】
2014036722.tif 000009
【図８】
2014036722.tif 000010
【図９】
2014036722.tif 000011